(57)【要約】【課題】通信性能に優れるとともに安価であるばかりか、製造工程も複雑でなく再利用も可能なＲＦＩＤタグを備えた包装薬剤を提供する。【解決手段】メモリや制御部等を備えた半導体チップ等を有するＲＦＩＤタグ本体２１にアンテナ２２が接合されて前記メモリに記録された或いは記録される情報が前記アンテナ２２を介して送受信されるＲＦＩＤタグ２を備えた包装薬剤１において、包装薬剤１がヒートシール包装であって、ＲＦＩＤタグ２が前記ＲＦＩＤタグ本体２１とこの前記ＲＦＩＤタグ本体２１が接合されるヒートシール包装１の表面に露出している金属層１２１により形成されるアンテナ２２とからなる。【選択図】図２
0003128634.tif 000002
【実用新案登録請求の範囲】
【請求項１】
メモリや制御部等を備えた半導体チップ等を有するＲＦＩＤタグ（無線認証タグ）本体にアンテナが接合されて前記メモリに記録された或いは記録される情報が前記アンテナを介して送受信されるＲＦＩＤタグ（無線認証タグ）を備えた包装薬剤において、前記包装薬剤がヒートシール包装であって、前記ＲＦＩＤタグ（無線認証タグ）が前記ＲＦＩＤタグ（無線認証タグ）本体とこの前記ＲＦＩＤタグ（無線認証タグ）本体が接合される前記ヒートシール包装の表面に露出している金属層により形成されるアンテナとからなることを特徴とするＲＦＩＤタグ（無線認証タグ）を備えた包装薬剤。
【請求項２】
前記包装薬剤に備えられるＲＦＩＤタグ（無線認証タグ）本体が複数であり、前記各ＲＦＩＤタグ（無線認証タグ）本体にヒートシール包装の各薬剤毎に区分して形成したそれぞれ独立したアンテナが接合されている請求項１に記載のＲＦＩＤタグ（無線認証タグ）を備えた包装薬剤。
【請求項３】
前記独立したアンテナは前記前記ヒートシール包装の表面に露出している金属層を電磁遮蔽層により所定形状に覆うことにより形成されている請求項２に記載のＲＦＩＤタグ（無線認証タグ）を備えた包装薬剤。
【考案の詳細な説明】
【技術分野】
【０００１】
本考案は、無線認証タグ（以下「ＲＦＩＤタグ」という）を備えた包装薬剤、殊にＰＴＰ包装を用いた包装薬剤についてＲＦＩＤタグを備えたものに関する。
【背景技術】
【０００２】
近頃、医療情報の電子的な管理などが行われ、電子カルテだけでなくもＲＦＩＤタグ（無接触式のＩＤタグ）を用いて薬剤についての情報も含めて管理するシステムが例えば特開２００４−２１３２２２号公報などに提示されている。
【０００３】
そして、更に、処方箋により処方される薬剤についての情報を記録したＲＦＩＤタグを直接包装薬剤に付設して薬剤情報を管理する手段が例えば特開２００３−２３３６７３号公報、特開２００５−２１１６１１号公報などに提示されている。
【０００４】
これらの公報に提示されているＲＦＩＤタグを備えた包装薬剤は、ＲＦＩＤタグに薬剤の種類や名称、剤形、効能、効果、用法、用量、相互作用、副作用、更には薬剤の製造元の情報、薬剤の原料、成分等や保管に関する薬剤情報などを記録させることにより、処方薬剤の確認や処方先、使用期限などの確認などにより薬剤の管理をすることができることからきわめて便利である。
【０００５】
そして、前記公報には図４および図５に示すように、小型のＲＦＩＤタグ２を例えばＰＴＰ（ｐｒｅｓｓ  ｔｈｒｏｕｇｈ  ｐａｃｋａｇｅ）タイプのヒートシール包装薬剤１に備えたものが提示されている。
【０００６】
ところで、一般にＲＦＩＤタグは、メモリや制御部等を備えた半導体チップにアンテナが接合されて前記メモリに記録された或いは記録される情報が前記アンテナを介して送受信されるものであり、前記アンテナのサイズが小型化促進の妨げになっている。
【０００７】
そして、近頃、マイクロメートル単位のきわめて小型のＲＦＩＤタグが制作されるようになり、前記図および図  に示したようなヒートシール包装薬剤にＲＦＩＤタグを備えたものも考えられるが、小型のＲＦＩＤタグはアンテナをＰＥＴ樹脂製の基材の上にエッチングにより形成しているので製造工程が煩雑で高価となり、多くの場合に使用後に処分してしまうヒートシール包装に付設するには向かない。また、一般にＲＦＩＤタグにおいてアンテナはＲＦＩＤタグの読取機との通信距離やデータ通信の正確さを左右するきわめて重要なものであり、小型のＲＦＩＤタグが内蔵するアンテナは必然的に小型となることから通信脳裏翼が低く実用的でない。加えて、従来のＲＦＩＤタグは粘着剤などにより貼りつけるものであり、再利用が困難である。
【０００８】
【特許文献１】特開２００４−２１３２２２号公報
【特許文献２】特開２００３−２３３６７３号公報
【特許文献３】特開２００５−２１１６１１号公報
【考案の開示】
【考案が解決しようとする課題】
【０００９】
本考案は、上記のような問題点を解決することを課題とするものであり、通信性能に優れるとともに安価であるばかりか、製造工程も複雑でなく再利用も可能なＲＦＩＤタグを備えた包装薬剤を提供するものである。
【課題を解決するための手段】
【００１０】
前記課題を解決するためになされた本考案に係るＲＦＩＤタグを備えた包装薬剤は、前記ＲＦＩＤタグがメモリや制御部等を備えた半導体チップ等を有するＲＦＩＤタグ本体にアンテナが接合されて前記メモリに記録された或いは記録される情報が前記アンテナを介して送受信されるＲＦＩＤタグを備えた包装薬剤において、前記包装薬剤がヒートシール包装であって、前記ＲＦＩＤタグが前記ＲＦＩＤタグ本体とこの前記ＲＦＩＤタグ本体が接合される前記ヒートシール包装の表面に露出している金属層により形成されるアンテナとからなることを特徴とする。
【００１１】
ＲＦＩＤタグを前記ＲＦＩＤタグ本体とこのＲＦＩＤタグ本体が接合されるアンテナとから構成するとともに、前記アンテナを前記ヒートシール包装の表面に露出している金属層により形成したので、従来のＲＦＩＤタグのように別途に用意したアンテナを組み込む必要がなく、ＲＦＩＤタグ本体を小型化できるとともに製造もヒートシール包装の表面に露出している金属層にＲＦＩＤタグ本体を接合すればよく従来のようにＲＦＩＤタグを一個ずつ貼着する手間がいらずに容易である。
【００１２】
特に、アンテナはヒートシール包装の表面に露出している金属層を用いることから電波（磁波）の授受面を比較的大きな面積とすることができ、読取機が離れていても確実な通信が可能である。
【００１３】
また、本発明において、前記包装薬剤に備えられるＲＦＩＤタグ本体が複数であり、前記各ＲＦＩＤタグ本体にヒートシール包装の各薬剤毎に区分して形成したそれぞれ独立したアンテナが接合されている場合には、各薬剤について包装を分離した場合にも各薬剤について情報を提供することができる。
【００１４】
更に、独立したアンテナは前記前記ヒートシール包装の表面に露出している金属層を電磁遮蔽層により所定形状に覆うことにより形成することにより、各アンテナを所望の大きさや形状にきわめて容易に形成することができる。
【考案の効果】
【００１５】
本考案によれば、小型できわめて高性能の通信機能を有するアンテナを備えたＲＦＩＤタグを備えた包装薬剤を容易に製造することが可能であり、また、製造も容易であり、使用済みのものを集めて例えば超音波を加えるなどの所定工程によりＲＦＩＤタグ本体とアンテナである使用済みの薬剤包装との接合を解除すればＲＦＩＤタグ本体だけを容易に取り出すことができることからリサイクルにも適している。
【考案を実施するための最良の形態】
【００１６】
以下、図面に示した本考案の実施の形態について説明する。
【００１７】
図１は本考案の実施形態の一例であるＲＦＩＤタグ２を備えた包装薬剤１を示すものであり、ＲＦＩＤタグ２がメモリや制御部等を備えた半導体チップ等（図示せず）を有するＲＦＩＤタグ本体２１にアンテナ２２が接合されて構成される。
【００１８】
更に図２および図３に示した拡大断面図を参照して詳しく説明すると、包装薬剤１は殆どが従来のＰＴＰタイプのヒートシール包装薬剤と同じく、例えば錠剤やカプセル形の薬剤３を収容可能なドーム型の収容部を成形した合成樹脂シート１１と金属層（アルミニウム箔）１２１とヒートシールフィルム１２２を含む複合シート１２とをヒートシールした包装形態を有するものである。
【００１９】
そして、前記金属層（アルミニウム箔）１２１を含む複合シート１２はアルミニウム箔により形成される金属層１２１が表面に露出している。
【００２０】
更に、前記金属層１２１は電磁波遮蔽樹脂などにより形成された遮蔽層１２４をもちいることにより、前記薬剤を収容した円形のドーム成型部に当たる部分１２３の外周に例えば円形のアンテナ２２が形成されている。
【００２１】
このアンテナ２２部分は金属層１２１全体により構成してもよいが、一般に包装薬剤１は分割線１３により複数に切り取って分割可能であり、切り取ったそれぞれの分割片にＲＦＩＤタグ２を備える必要からアンテナ２２が薬剤を収容した円形のドーム成型部に当たる部分１２２の外周にそれぞれ備えられている。
【００２２】
そして、ＲＦＩＤタグ本体２１の接合は、例えば図３に示すように、ＲＦＩＤタグ本体２１の裏面に突設した金属バンプ２１１を金属層１２１の設置位置に予め配置した溶融性の合成樹接着剤層１２４を形成し、これを例えば超音波により熱溶融して後、固化させることにより金属バンプ２１１を金属層１２１に形成されるアンテナ２２に接合した状態で金属層１２１にＲＦＩＤタグ本体２１を固定させる等、従来、周知の手段によりＲＦＩＤタグ本体２１を固定する。
【００２３】
尚、金属層１２１に形成される所望のアンテナ２２形状は、金属層１２１の表面に例えば合成樹脂剤などからなる電磁遮蔽層１２３を部分的に塗布するなどの手段を用いて所定形状に覆うことで形成することができる。
【００２４】
尚、図面中、符合１２５はＲＦＩＤタグ本体２１の金属バンプ２１１を接合するアンテナ２２としての機能を発揮させるために金属層１２１の表面に形成した切れ目である。
【００２５】
以上の構成を有する本実施形態は、従来例に示したものと同様に包装されている各薬剤についての薬剤名、処方の目的、副作用、製造情報や使用期限などの薬剤管理に必要な各種の薬剤情報が記録されて、読取機や書込機（図示せず）と無線で通信して医療管理や薬剤管理等を行うことができるものである。
【００２６】
特に、本実施形態は、小型化の可能なＲＦＩＤタグ本体２１を用いているので嵩張ることがなく、アンテナ２２は、金属（アルミ）箔を含む複合シート１２の金属（アルミ）箔により形成される金属層１２１により形成したので、大型化ができて性能がよく、また、別途に高価な小型のアンテナを要さないので安価に提供することができる。
【００２７】
また、使用後は、ＲＦＩＤタグ本体２１だけを回収することができ、メモリーに記録した情報を書き換えるだけで例えば従来のＲＦＩＤタグのように粘着剤を含めて再生することなくそのまま再利用が可能であり、資源や価格の面でも有利である。
【００２８】
以上は、本考案の実施の一形態を述べたが、本考案は上記実施形態に限定されるものではなく、例えばＳＰ（ｓｔｒｉｐ  ｐａｃｋａｇｅ）タイプの包装薬剤のようにＰＴＰタイプのヒートシール包装薬剤と同様に表面に金属（アルミニウム）層を露出する包装薬剤についても同様に実施することができることは言うまでもない。
【図面の簡単な説明】
【００２９】
【図１】本考案の実施の一形態に係る包装薬剤の裏面図である。
【図２】図１のＡ−Ａ拡大断面図である。
【図３】図１のＢ−Ｂ拡大断面図である。
【図４】従来例を示す説明図である。
【図５】異なる従来例を示す説明図である。
【符号の説明】
【００３０】
１  包装薬剤、２  ＲＦＩＤタグ、２１  ＲＦＩＤタグ本体、２２  アンテナ、１２１  金属層、電磁遮蔽層１２３
【図１】
0003128634.tif 000003
【図２】
0003128634.tif 000004
【図３】
0003128634.tif 000005
【図４】
0003128634.tif 000006
【図５】
0003128634.tif 000007